(57)【要約】      （修正有）【課題】外出時に携帯している可能性が高いため、突然の降雨にも対応することができる折り畳み傘兼電子機器カバーを提供する。【解決手段】伸縮自在の中棒および親骨を有する傘骨１２０と、傘骨１２０から取り外し可能な傘布１１０とを有する折り畳み傘と、傘骨１２０を収容する収容ケース２００と、携帯電子機器および前記収容ケースを固定する領域と、傘布１１０を収納する領域とを有する柔軟性のあるソフトカバー３００と、を備える。【選択図】図１
0003199767.tif 000002
【実用新案登録請求の範囲】
【請求項１】
伸縮自在の中棒および親骨を有する傘骨と、該傘骨から取り外し可能な傘布とを有する折り畳み傘と、
前記傘骨を収容する収容ケースと、
携帯電子機器および前記収容ケースを固定する領域と、前記傘布を収納する領域とを有する柔軟性のあるソフトカバーと、を備える
ことを特徴とする折り畳み傘兼携帯電子機器カバー。
【請求項２】
請求項１に記載の折り畳み傘兼携帯電子機器カバーであって、
前記ソフトカバーは、
少なくとも、固定された前記携帯電子機器の表示部を覆う長さを有する帯状に形成されている
ことを特徴とする折り畳み傘兼携帯電子機器カバー。
【請求項３】
請求項２に記載の折り畳み傘兼携帯電子機器カバーであって、
前記ソフトカバーは、
前記携帯電子機器および前記収容ケースの少なくとも一方を巻き込んだ状態を維持するための突起およびフックを所定位置に有している
ことを特徴とする折り畳み傘兼携帯電子機器カバー。
【請求項４】
請求項１に記載の折り畳み傘兼携帯電子機器カバーであって、
前記ソフトカバーは、
前記携帯電子機器を着脱可能に簡易固定している
ことを特徴とする折り畳み傘兼携帯電子機器カバー。
【考案の詳細な説明】
【技術分野】
【０００１】
本考案は、折り畳み傘兼携帯電子機器カバーに関する。
【背景技術】
【０００２】
通常、天気予報などで雨が降ることを予め知っている場合、傘を持って外出する。しかしながら、天気予報を見ていなかったり、外出先で突然の雨に見舞われる場合もある。
【考案の概要】
【考案が解決しようとする課題】
【０００３】
前述のような場合を考慮して、常に傘を携帯して外出すれば良いが、折り畳み傘であっても毎日持ち運ぶのは面倒なため、結局、外出時に傘を携帯していない事の方が多い。
【０００４】
そこで、本考案は、外出時の携帯性を高め、より利便性の高い折り畳み傘兼携帯電子機器カバーの提供を目的とする。
【課題を解決するための手段】
【０００５】
上記課題を解決するために、本考案に係る折り畳み傘兼携帯電子機器カバーは、伸縮自在の中棒および親骨を有する傘骨と、該傘骨から取り外し可能な傘布とを有する折り畳み傘と、前記傘骨を収容する収容ケースと、携帯電子機器および前記収容ケースを固定する領域と、前記傘布を収納する領域とを有する柔軟性のあるソフトカバーと、を備える。
【考案の効果】
【０００６】
本考案に係る折り畳み傘兼携帯電子機器カバーによれば、外出時に携帯している可能性を高めることができるため、突然の降雨にも対応することができる。
【図面の簡単な説明】
【０００７】
【図１】図１（ａ）は、本考案の一実施形態に係る折り畳み傘兼携帯電子機器カバーを携帯電子機器カバーとして使用した場合の一例を示した図である。図１（ｂ）は、折り畳み傘兼携帯電子機器カバーを展開し、その表面側から示した斜視図である。
【図２】本考案の一実施形態に係る折り畳み傘兼携帯電子機器カバーを展開し、その裏面側から示した斜視図である。
【図３】本考案の一実施形態に係る収容ケースから傘骨を引き出した状態（ソフトカバーは省略）を示す図である。
【図４】本考案の一実施形態に係る折り畳み傘の柄（持ち手）の部分を組み立てる工程を示した図である
【図５】本考案の一実施形態に係る折り畳み傘を組み立てる工程を示した図である。
【図６】本考案の一実施形態に係る組み立てられた折り畳み傘を示した図である。
【図７】図７（ａ）は、本考案の変形例に係る折り畳み傘兼携帯電子機器カバーを携帯電子機器カバーとして使用した場合の一例を示した図である。図７（ｂ）は、本考案の変形例に係る折り畳み傘兼携帯電子機器カバーを展開し、その表面側から示した斜視図である。
【図８】本考案の変形例に係る折り畳み傘兼携帯電子機器カバーを展開し、その裏面側から示した斜視図である。
【０００８】
以下、本考案の実施形態について図面を用いて説明する。
【０００９】
図１は、本実施形態に係る折り畳み傘兼携帯電子機器カバー１０００の全体構成の一例を示した図である。図１（ａ）は、折り畳み傘兼携帯電子機器カバー１０００を携帯電子機器カバーとして使用した場合の一例を示した図である。図１（ｂ）は、折り畳み傘兼携帯電子機器カバー１０００を展開し、その表面側から示した斜視図である。図２は、折り畳み傘兼携帯電子機器カバー１０００を展開し、その裏面側から示した斜視図である。図示するように、折り畳み傘兼携帯電子機器カバー１０００は、折り畳み傘１００の傘布１１０および傘骨１２０と、傘骨１２０を収容する収容ケース２００と、携帯電子機器Ｐを包み込むソフトカバー３００とを備えている。
【００１０】
収容ケース２００は、内部が空洞の直方体に形成され、折り畳み傘１００の一部を構成する傘骨１２０を収容するケースである。具体的には、収容ケース２００は、所定の大きさ（例えば、縦１４０ｍｍ、横２０ｍｍ、奥行き１０ｍｍ程度）を有し、プラスチックやシリコーンなどの軽量素材により形成されている。また、収容ケース２００の上部には、傘骨１２０の出し入れに応じて開閉する蓋体が取り付けられている。
【００１１】
なお、収容ケース２００の形状は、傘骨１２０を収容できれば円筒形などの形状をしていても良い。また、収容ケース２００の縦方向の長さは、例えば、ソフトカバー３００の短手方向と略同程度の長さに形成されれば良い。また、収容ケース２００の横方向の長さは、例えば、ソフトカバー３００の長手方向の１／３〜１／９程度の長さに形成されれば良い。また、収容ケース２００は、例えば、アルミニウム合金（以下、「アルミ」という）などの軽量な金属素材から形成されても良い。
【００１２】
このような収容ケース２００は、ソフトカバー３００の所定位置（例えば、表面側の端部付近）に接着固定される。
【００１３】
ソフトカバー３００は、携帯電子機器Ｐを包み込むことにより、擦れや落下の衝撃などから携帯電子機器Ｐを保護するカバーである。具体的には、ソフトカバー３００は、革やファブリック素材といった柔軟性のある生地を用いて、所定の大きさ（例えば、縦-短手方向：１４５ｍｍ〜１６０ｍｍ、横-長手方向：２００ｍｍ〜３００ｍｍ、厚み：数ｍｍ、）を有する帯状に形成されている。
【００１４】
図示するように、ソフトカバー３００は、固定部３１０と、保護部３２０と、収納部３３０とを有している。固定部３１０は、ソフトカバー３００の表裏面に収容ケース２００および携帯電子機器Ｐを固定する領域である。具体的には、固定部３１０は、所定の大きさ（例えば、携帯電子機器Ｐよりも一回り程度大きいサイズ）を有している。また、固定部３１０の一方の面側の所定位置（例えば、ソフトカバー表面側の端部付近）には、ソフトカバー３００の短手方向と略平行になる向きで収容ケースが接着固定されている。なお、固定部３１０に対する収容ケース２００の固定方法は特に限定されない。
【００１５】
また、固定部３１０の他方の面側の所定位置（例えば、ソフトカバー裏面側の略中央付近）には、携帯電子機器Ｐを着脱可能に簡易固定するための粘着材が薄く塗布されている。携帯電子機器Ｐは、粘着材を介して、ソフトカバー３００の裏面側に着脱可能に固定される。なお、かかる粘着材は、携帯電子機器Ｐを固定部３１０に着脱可能に簡易固定でき、複数回使用可能なものであれば、その材質などは限定されない。
【００１６】
また、固定部３１０には、固定された携帯電子機器Ｐのカメラレンズ部分に対応する位置に、所定形状（例えば、矩形、円形および楕円型など）の貫通穴３１１が形成されている。
【００１７】
保護部３２０は、携帯電子機器Ｐの表示部（例えば、表示ディスプレイ）を保護する領域である。具体的には、保護部３２０は、固定部３１０から繋がり、所定の大きさ（例えば、固定部３１０と同程度の大きさであって、少なくとも、携帯電子機器Ｐの表面を覆うことができる大きさ）を有している。
【００１８】
また、保護部３２０の所定位置（例えば、ソフトカバー表面側の固定部側端部付近）には、収納部３３０に設けられたフック３３１を引っ掛けるための突起３２１が形成されている。かかる突起３２１には、保護部３２０および収納部３３０によって携帯電子機器Ｐおよび収容ケース２００が包み込みこまれた状態を維持する際に、収納部３３０のフック３３１が引っ掛けられる。すなわち、突起３２１は、折り畳み傘兼携帯電子機器カバー１０００を携帯電子機器カバーとして使用する場合に用いられる。
【００１９】
また、保護部３２０の所定位置（例えば、ソフトカバー裏面側の収納部側端部付近）には、収納部３３０のフック３３１を引っ掛けるための突起３２２が設けられている。例えば、かかる突起３２２には、固定部３１０から携帯電子機器Ｐを取り外し、収容ケース２００にソフトカバー３００を巻き付けた状態を維持する際に、フック３３１が引っ掛けられる。すなわち、突起３２２は、折り畳み傘兼携帯電子機器カバー１０００を折り畳み傘として使用する場合に用いられる。
【００２０】
収納部３３０は、折り畳み傘１００から取り外した傘布１１０を収納する領域である。具体的には、収納部３３０は、保護部３２０から繋がり、所定の大きさ（例えば、固定部３１０および保護部３２０と同程度またはそれらよりもやや横長の大きさ）を有している。また、収納部３３０は、例えば、両側辺と下辺とを縫い合わせ、上辺Ｌのみを開放した袋状の作りとなっている。傘布１１０は、開放された上辺Ｌから袋状の内部に収納される。なお、収納部３３０は、ソフトカバー３００の表面側または裏面側の一方にポケットを設け、傘布１１０をポケットに収納できる構造であっても良い。
【００２１】
収納部３３０は、所定位置（例えば、ソフトカバーの端部付近）にフック３３１を有しており、フック３３１は、折り畳み傘兼携帯電子機器カバー１０００を所定の状態で維持する際に、保護部の突起３２１（または突起３２２）に引っ掛けられて用いられる。
【００２２】
また、ソフトカバー３００の表裏面には、折り曲げ易いように、所定の間隔で折り目（プリーツ）３４０が施されている（ソフトカバーの裏面側に施された折り目は図示せず）。
【００２３】
次に、折り畳み傘１００について説明する。図３は、収容ケース２００から傘骨１２０を引き出した状態（ソフトカバー３００は省略）を示す図である。折り畳み傘１００は、傘布１１０および傘骨１２０を有し、傘骨１２０は、収容ケース２００内に固定されている手元（図示せず）と、手元に固定され、折り畳み傘１００の柄の部分を構成する中棒１３０と、所定数（例えば、４本〜６本）の親骨１４０と、親骨の先端に形成された布フック１５０とを有している。
【００２４】
手元は、例えば、収容ケースの底面に接着固定されている。また、中棒１３０は、手元にねじ止めなどによって固定されている。そのため、折り畳み傘１００は、収容ケース２００から外れないようになっている。なお、手元の形状および素材は特に限定されるものではなく、収容ケース２００の底面に収まる形状に形成され、所望の強度が確保されていれば良い。
【００２５】
中棒１３０は、例えば、アルミやプラスチックなどの軽量かつ所望の強度を確保できる素材から形成されている。また、中棒１３０は、手元により近い方がより大きな径を有する中空管状のパイプが複数組み合わせられて、伸縮自在に構成されている。すなわち、中棒１３０は、より先端側のパイプを手元側のパイプの中空内部に収容したり引き出したりすることができ、収容ケース２００から引き出す際に伸ばしたり、収容ケース２００に収容する際に縮めることができる。なお、中棒１３０は、最も縮めた場合に収容ケース２００内に収まる長さ（例えば、１２０ｍｍ程度）に形成され、最も伸ばした場合に収容ケース２００の２倍から４倍程度の長さ（例えば、２４０ｍｍ〜４８０ｍｍ）となるように形成されている。
【００２６】
親骨１４０は、アルミなどの軽量かつ所望の強度を確保できる素材から形成されている。また、親骨１４０は、より中棒１３０に近い方がより大きな径を有する中空管状のパイプが複数組み合わせられて、伸縮自在に構成されている。すなわち、親骨１４０は、中棒１３０と同様、より先端側（布フック１５０側に近い側）のパイプを中棒１３０により近いパイプの中空内部に収容したり引き出したりすることができ、傘布１１０を取り付ける際に伸ばしたり、収容ケース２００に収容する際に縮めることができる。なお、親骨１４０は、最も縮めた場合に収容ケース２００内に収まる長さ（例えば、１２０ｍｍ程度）であって、最も伸ばした場合に傘布１１０を取り付けられる長さ（例えば、４００ｍｍ〜５００ｍｍ）となるように形成されている。
【００２７】
また、親骨全体の形状が膨らみをもった曲線となるように、各パイプ同士を伸ばした状態で所定の角度で固定される構造となっている。
【００２８】
布フック１５０は、傘骨１２０に傘布１１０を取り付けた状態で、各親骨１４０に沿った傘布１１０の先端部（露先）に設けられているフック穴１６０に引っ掛けるためのフックである。布フック１５０がフック穴１６０に引っ掛けられることにより、傘骨１２０に取り付けられた傘布１１０が雨風の力で簡単に親骨１４０から外れてしまうことが防止される。
【００２９】
傘布１１０は、例えば、防水加工が施されたビニールや布地または和紙などを素材として形成されており、固定される親骨１４０の数に応じて所定の形状に形成されている。また、傘布１１０は、親骨１４０に沿った所定位置に、傘布１１０を親骨１４０に固定するための筒状の固定補助部１７０を複数有している。傘布１１０を親骨１４０に取り付ける場合、親骨１４０の布フック１５０を固定補助部１７０に通しつつ、露先のフック穴１６０に引っ掛けることにより、傘布１１０は親骨１４０に取り付けられる。
【００３０】
なお、傘布１１０は、親骨１４０への取り付け工程と逆の手順により、親骨１４０から簡単に取り外すことができる。
【００３１】
次に、折り畳み傘兼携帯電子機器カバー１０００を折り畳み傘として使用する方法について説明する。図４は、折り畳み傘１００の柄（持ち手）の部分を組み立てる工程を示した図である。図示するように、使用者は、簡易固定されている携帯電子機器Ｐをソフトカバー３００から取り外し、収容ケース２００を巻き込むようにしてソフトカバー３００を所定方向（本例では、時計回り）に回転させる。なお、図示しないが、使用者は、ソフトカバー３００の収納部３３０から予め傘布１１０を取り出しておく。また、ソフトカバー３００を収容ケース２００に巻き付けた後で、使用者は、保護部３２０に設けられているソフトカバー裏面側の突起３２２に収納部３３０のフック３３１を引っ掛けて固定する。以上の工程より、折り畳み傘１００の持ち手部分が組み立てられる。すなわち、収容ケース２００およびソフトカバー３００は、折り畳み傘１００の持ち手部分となる。
【００３２】
次に、使用者は、折り畳み傘１００を組み立てる。図５は、折り畳み傘１００を組み立てる工程を示した図である。図示するように、使用者は、収容ケース２００から中棒１３０を引き出し、各パイプを全て伸ばす。また、使用者は、親骨１４０のパイプを全て伸ばし、各親骨１４０を傘布１１０の固定補助部１７０に通す。また、使用者は、布フック１５０を露先のフック穴１６０に引っ掛けて傘布１１０を傘骨１２０に固定する。
【００３３】
以上の手順により、使用者により折り畳み傘１００が組み立てられる。図６は、組み立てられた折り畳み傘１００を示した図である。
【００３４】
次に、折り畳み傘兼携帯電子機器カバー１０００を携帯電子機器カバーとして使用する方法について説明する。例えば、折り畳み傘兼携帯電子機器カバー１０００を折り畳み傘として使用した後で、携帯電子機器カバーとして使用する場合、使用者は、折り畳み傘１００を組み立てた順序と逆の手順で傘骨１２０を収容ケース２００内に収容する。また、使用者は、親骨１４０から取り外した傘布１１０を、展開したソフトカバー３００の収納部３３０に収納する。
【００３５】
次に、使用者は、携帯電子機器Ｐをソフトカバー３００の固定部３１０に取り付ける。また、使用者は、ソフトカバー３００の固定部３１０および保護部３２０を携帯電子機器Ｐおよび収容ケース２００を巻き込むようにして所定方向に回転（本例では、時計回りの逆回りに回転）させ、固定部３１０に設けられているソフトカバー表面側の突起３２１に収納部３３０のフック３３１を引っ掛けて固定する。これにより、折り畳み傘兼携帯電子機器カバー１０００は、図１（ａ）に示す状態となる。
【００３６】
以上の工程より、折り畳み傘兼携帯電子機器カバー１０００は、携帯電子機器カバーとして使用することができる。
【００３７】
このような折り畳み傘兼携帯電子機器カバー１０００であれば、外出時に比較的高い確率で携帯する携帯電子機器のカバーを折り畳み傘としても使用することができるため、外出先で突然の雨に降られた場合でも、折り畳み傘を組み立てることにより濡れずに済む。
【００３８】
なお、前述の実施形態に係るソフトカバー３００は、固定部３１０と、保護部３２０と、収納部３３０とを有していたが、本考案はこのような実施形態に限られるものではなく、変形例に係るソフトカバー４００は、固定部４１０および保護部４２０のみを有し、固定部４１０または保護部４２０の一方が袋状に形成されていれば良い。
【００３９】
図７（ａ）は、変形例に係る折り畳み傘兼携帯電子機器カバー２０００を携帯電子機器カバーとして使用した場合の一例を示した図である。図７（ｂ）は、折り畳み傘兼携帯電子機器カバー２０００を展開し、その表面側から示した斜視図である。図８は、折り畳み傘兼携帯電子機器カバー２０００を展開し、その裏面側から示した斜視図である。このような変形例に係るソフトカバー４００であっても、保護部４２０によって携帯電子機器Ｐの表面を覆うことができるため、携帯電子機器Ｐを保護することができる。また、固定部４１０または保護部４２０の一方が袋状に形成されることで、収納部３３０と同様の役割を果たすことができる。すなわち、折り畳み傘１００から取り外された傘布１１０は、固定部４１０または保護部４２０の一方に収納される。なお、前述の実施形態と同様の部分は同じ符号を附して説明を省略する。
【００４０】
なお、この場合、フック４３１は、保護部４２０の端部付近に設けられている。また、フック４３１が引っかかる突起４３２は、固定部４１０および保護部４２０の大きさに応じて、適宜、固定部４１０および保護部４２０に設けられれば良い。
【００４１】
以上のような折り畳み傘兼携帯電子機器カバー２０００によれば、収納部が不要な分、ソフトカバー４００の面積を小さくすることができるため、よりコンパクトなソフトカバー４００を形成することができる。
【００４２】
なお、前述の実施形態に係る折り畳み傘兼携帯電子機器カバー１０００では、傘骨１２０が収納ケース２００に固定されていたが、傘骨１２０を収容ケース２００から取り外せるようにしても良い。
【００４３】
また、前述の実施形態では、収容ケース２００および携帯電子機器Ｐを各々、ソフトカバー３００の固定部３１０の表面側および裏面側に固定したが、少なくとも、ソフトカバー３００が携帯電子機器Ｐの表面を覆うことができる大きさに形成されていれば、収容ケース２００および携帯電子機器Ｐの固定位置は特に限定されるものではない。
【符号の説明】
【００４４】
１０００・・・折り畳み傘兼携帯電子機器カバー、１００・・・折り畳み傘、
２００・・・収容ケース、３００・・・ソフトカバー、
Ｐ・・・携帯電子機器、１１０・・・傘布、１２０・・・傘骨、
１３０・・・中棒、１４０・・・親骨、１５０・・・布フック、
１６０・・・フック穴、１７０・・・固定補助部、３３１・・・フック、
３２１、３２２・・・突起
【図１】
0003199767.tif 000003
【図２】
0003199767.tif 000004
【図３】
0003199767.tif 000005
【図４】
0003199767.tif 000006
【図５】
0003199767.tif 000007
【図６】
0003199767.tif 000008
【図７】
0003199767.tif 000009
【図８】
0003199767.tif 000010